(57)【要約】【課題】  消費電力と運転騒音を適値に抑えられる程度の送風機を使用し、エアフィルタが軽度に目詰まりした程度では、暖房のための空気量が不足することがなく、暖房装置を継続運転できる技術を実現する。【解決手段】  仕切り板３２の前面に取付けられたサーミスタ１８が、その検知温度を通してガスバーナ３６の燃焼状態を監視する。検知温度が正常範囲を超えるとガスバーナ３６で不完全燃焼状態であることが検出され、空気清浄化ユニット１０の運転レベルが下げられる。運転レベルがそれ以上に下げられないときは、空気清浄化ユニット１０の運転が禁止される。この場合、報知ランプ１４ａで運転禁止が報知され、フィルタ１４ｂで共通エアフィルタ２４が軽度に汚れていることが報知される。【選択図】  図２
2005049077.tif 000002
【特許請求の範囲】
【請求項１】
空気清浄化機能を有する暖房装置であり、
燃料を燃焼するバーナと、バーナの燃焼状態を監視する燃焼状態監視装置と、共通吸気口から空気を吸引してバーナに供給すると共にバーナで加熱された温風を温風吹出口から吹出す第１送風機と、
空気を清浄化する空気清浄化手段と、前記共通吸気口から空気を吸引して空気清浄化手段に供給すると共に空気清浄化手段によって清浄化された空気を清浄化空気吹出口から吹出す第２送風機と、
前記燃焼状態監視装置で不完全燃焼状態と判定されたときに、不完全燃焼状態が解消されるまで前記第２送風機の運転レベルを下げる制御手段と、
を備える空気清浄化機能を有する暖房装置。
【請求項２】
前記制御手段が、それ以上には第２送風機の運転レベルを下げることができないときに空気清浄化手段と第２送風機の運転を禁止することを特徴とする請求項１の暖房装置。
【請求項３】
空気清浄化手段と第２送風機の運転が禁止されたことを報知する報知手段が付加されていることを特徴とする請求項２の暖房装置。
【請求項４】
空気清浄化手段が、イオンを発生させて空気を清浄化することを特徴とする請求項１〜３のいずれかの暖房装置。
【発明の詳細な説明】
【技術分野】
【０００１】
本発明は、空気清浄化機能を有する暖房装置に関する。
【背景技術】
【０００２】
空気清浄機と暖房装置を合体した空気清浄化機能を有する暖房装置が開発され、利便性を向上させている。空気清浄化機能を有する暖房装置は、暖房用空気の送風機と清浄用空気の送風機を兼用することが多いが、暖房用空気の吹出し量を増減すると、それにつれて清浄化された空気の吹出し量も増減し、吹出し量をそれぞれ別に設定することができない。このことから、暖房用空気の送風機と清浄用空気の送風機を別々に設けるタイプのものが開発されている。暖房用空気の送風機と清浄用空気の送風機を別々に設けるタイプの暖房装置では、暖房機能と空気清浄化機能をそれぞれ単独で使用することもできれば、同時に使用することもできる。例えば、特許文献１に、暖房装置の吸気口と空気清浄機の吸気口を別個に設け、暖房用空気の風路と清浄用空気の風路を完全に独立に構成した空気清浄化機能付き暖房装置が開示されている。
【特許文献１】特開平１１−２３０６３号公報
【発明の開示】
【発明が解決しようとする課題】
【０００３】
空気清浄化機能付き暖房装置の小型化を考慮すると、暖房装置の吸気口と空気清浄機の吸気口を離れた位置に設けるよりも、両者の吸気口をなるべく隣接した位置に設けることが有利である。さらに、エアフィルタの保守管理の負担軽減を考慮すると、一つの吸気口を共用させることが有利である。
吸気口にはエアフィルタが設置されており、空気清浄化機能付き暖房装置を使用すると異物がエアフィルタにトラップされ、エアフィルタが目詰まりしてくることが避けられない。エアフィルタが目詰まりしてくると、暖房装置のための風量や空気洗浄機のための風量が不足してくる。
暖房装置の吸気口と空気清浄機の吸気口を隣接した位置に設ける場合も、一つの吸気口を共用させる場合も、暖房装置と空気清浄機を同時に使用すると、暖房装置に必要な空気の供給量が空気清浄機への空気の供給量によって影響を受けることがある。このことを考慮して、空気清浄化機能と暖房機能を同時に使用したり、いずれか一方のみを使用したりしても、常に、暖房装置のために適量の空気を確保し、空気清浄機のために適量の流量を確保する必要がある。
しかしながら、装置の使用によってエアフィルタが目詰まりしてくる現象に抗して、空気清浄化機能と暖房機能を同時に使用したり、いずれか一方のみを使用したりしても、常に空気清浄機のための適量を確保し、暖房装置のための適量を確保することは容易でない。エアフィルタが目詰まりし、空気清浄化機能と暖房機能を同時に使用しても暖房装置のための空気量が不足しないようにすると、送風機の能力を超えて運転させることとなり、さらに能力の大きい送風機が必要となる。大能力の送風機では、消費電力が増大し、運転騒音が大きくなってしまうのに加え、装置全体の小型化もできなくなってしまう。
暖房装置の吸気口と空気清浄機の吸気口を隣接した位置に設けたり、一つの吸気口を共用させたりして、装置全体を小型化した場合に、消費電力と運転騒音を適値に抑えると、空気清浄化機能と暖房機能を同時に使用したときに、暖房装置のための空気量が不足しやすい。エアフィルタが軽度に目詰まりした段階で暖房装置のための空気量が不足して、暖房運転ができなくなってしまうことがある。
本発明では、消費電力と運転騒音を適値に抑えられる程度の送風機を使用しながら、エアフィルタが軽度に目詰まりした程度では、暖房のための空気量が不足することがなく、暖房装置を継続運転できる技術を実現する。
【課題を解決するための手段】
【０００４】
本発明では、消費電力と運転騒音を適値に抑えられる程度の送風機を使用する。この送風機は、エアフィルタが清浄であれば、空気清浄化機能と暖房機能を同時に使用したときに、暖房運転に必要な空気を暖房装置に供給し、空気清浄化運転に必要な空気を空気清浄機に供給することができる。しかしながら消費電力と運転騒音を適値に抑えているために送風能力に余裕がなく、エアフィルタが軽度に汚れてくると、空気清浄化機能と暖房機能を同時に使用したときには暖房装置に供給する空気量が不足し、不完全燃焼の可能性が生じてくる。この場合、通常なら暖房運転を強制的に停止させなければならない。本発明では、エアフィルタが軽度に汚れた程度では暖房運転を停止させる必要がなく、継続運転できるようにする。そのために、本発明では、エアフィルタが軽度に汚れ、空気清浄化機能と暖房機能を同時に使用すると、暖房装置に供給する空気量が不足する段階で、空気清浄化運転を強制的に停止させる。すると、空気清浄機に供給する空気を暖房装置に供給することが可能となり、暖房運転を継続することができる。
なお、エアフィルタがさらに汚れてくると、暖房運転のみを行っていても暖房装置に供給する空気量が不足する。本発明ではこの問題を解決することができない。本発明では、エアフィルタが軽度に汚れた程度では暖房運転を継続することができ、重度に汚れるまで暖房運転を継続することができる暖房装置を実現する。
【０００５】
（課題を解決するための一つの手段）
本発明に係わる空気清浄化機能を有する暖房装置は、燃料を燃焼するバーナと、バーナの燃焼状態を監視する燃焼状態監視装置と、共通吸気口から空気を吸引してバーナに供給すると共にバーナで加熱された温風を温風吹出口から吹出す第１送風機と、空気を清浄化する空気清浄化手段と、共通吸気口から空気を吸引して空気清浄化手段に供給すると共に空気清浄化手段によって清浄化された空気を清浄化空気吹出口から吹出す第２送風機を備えている。さらに、燃焼状態監視装置で不完全燃焼状態と判定されたときに不完全燃焼状態が解消されるまで第２送風機の運転レベルを下げる制御手段を備えている。
ここでいう空気清浄化手段は、集塵フィルタを通過させることによって空気を清浄化するもの、除菌イオンを発生して除菌イオンによって空気を清浄化するもの、集塵フィルタを通過させると共に除菌イオンを発生して空気を清浄化するもの、あるいは、マイナスイオンを発生させてさわやかな空気に清浄化するもの等、様々な種類の空気清浄化手段を含む。
（その作用と効果）
本装置では、第１送風機が暖房用空気を吸引する吸気口と、第２送風機が清浄用空気を吸引する吸気口が共通化されている。すなわち、燃料を燃焼させるために必要な空気も、空気清浄化手段が空気を清浄化するために必要な空気も、同一の吸気口から吸引される。暖房運転と清浄化運転が同時に実行されるときは、それぞれに必要なだけの量の空気が共通の吸気口から吸引される。
本装置は、燃料を燃焼して空気を加熱するバーナの燃焼状態を監視する手段を備えている。吸気口に備えられたエアフィルタが軽度に目詰まりして吸気口から吸引される空気量が減少し、燃焼状態監視手段によって不完全燃焼状態と判定されたときには、制御手段が第２送風機の運転レベルを下げる。これにより、空気清浄化手段に供給される空気量が減少し、暖房手段に必要な空気量が確保されて不完全燃焼状態が解消され、暖房運転を継続することができる。
【０００６】
（一つの好ましい手段）
制御手段が、それ以上には第２送風機の運転レベルを下げることができないときに空気清浄化手段と第２送風機の運転を禁止することが好ましい。
（その作用と効果）
制御手段が、第２送風機の運転レベルをゼロにまで下げるものであれば、吸気口から吸引された空気の全量を暖房装置に供給することが可能となり、暖房運転を継続運転できる範囲が可及的に伸ばされる。
【０００７】
（一つの好ましい手段）
空気清浄化手段と第２送風機の運転が禁止されたことを報知する報知手段が付加されていることが好ましい。
（その作用と効果）
これにより、使用者は空気清浄化運転が禁止されたことを知ることができる。また、エアフィルタが軽度に汚れたことを知り、放置すればやがて重度に汚れて暖房運転ができなくなることを事前に知ることができる。
【０００８】
（一つの具体的手段）
空気清浄化手段が、イオンを発生させて空気を清浄化するタイプのものであってもよい。集塵フィルタを通過させて清浄化するものと組合せて用いてもよい。
【発明を実施するための最良の形態】
【０００９】
以下に説明する実施例の主要な特徴を最初に列記する。
（形態１）空気清浄機は、イオン発生装置を備えている。
（形態２）イオン発生装置は、筒上の絶縁体をはさんで配置された内電極と外電極に交流電源から高圧を印加して放電させ、正イオンと負イオンを発生する。
（形態３）共通吸気口には、共通エアフィルタが備えられている。
（形態４）燃焼状態監視手段は、サーミスタが検知した温度によってガスバーナの燃焼状態を監視する。
（形態５）サーミスタは、燃焼ケース前方の仕切り板に備えられる。
（形態６）燃焼状態監視手段は、熱電対が検知した温度によってガスバーナの燃焼状態を監視する。
（形態７）熱電対は、燃焼ケース内に備えられる。
【実施例】
【００１０】
本発明を具現化した空気清浄化機能を有するガスファンヒータの第１実施例を図面を参照しながら詳細に説明する。
図１と図２に示すように、本実施例の空気清浄化機能を有するガスファンヒータ１は、本体ケース２２と、空気清浄化ユニット１０と、暖房ユニット５０を備えている。空気清浄化ユニット１０は、イオン発生装置４と、シロッコファン（第２ファン）８と、集塵フィルタ９から構成される。暖房ユニット５０は、ガスバーナ３６を有する燃焼ケース３４と、温風用ファン（第１ファン）４２から構成される。
図１は、本体ケース２２の前板を取り外した状態の正面図を模式的に示している。本体ケース２２は、ガスファンヒータ１の外枠を形成する。本体ケース２２の上面には清浄化空気吹出口２が形成され、背面には暖房に用いられる空気と清浄に用いられる空気を取入れる共通吸気口２６が形成され、前面には温風吹出口４４が形成されている。上部には、区画板６で区画されたイオン発生装置４とシロッコファン８が配置されている。仕切り板３２の後方には、内部にガスバーナ３６を有する燃焼ケース３４が配置されている。仕切り板３２の前面のガスバーナ３６上部に相当する位置には、サーミスタ１８が備えられている。燃焼ケース３４より下方には、温風用ファン４２が設けられており、その前方には、温風吹出口４４が設けられている。
【００１１】
図２に示すように、本体ケース２２の背面に形成された共通吸気口２６には、その全面を覆うように共通エアフィルタ２４が着脱自在に備えられている。共通エアフィルタ２４は、室内の塵埃を取り除くためのものであり、樹脂製の細かい網目から形成される。共通吸気口２６から共通エアフィルタ２４を介して吸引された空気は、空気洗浄ユニット１０と暖房ユニット５０に吸い込まれる。
【００１２】
暖房ユニット５０の燃焼ケース３４内に設けられたガスバーナ３６に点火すると、共通吸気口２６から吸引されて燃焼用二次空気吸込口２８から吸込まれた燃焼用二次空気と、図示しない燃焼用一次空気吸込口から吸込まれた燃焼用一次空気によって、燃料ガスが燃焼される。燃焼によって生じた燃焼ガスは、ガスバーナ３６の上部から燃焼ケース３４の上部を通って排出される。
燃焼中は、温風用ファン４２の回転によって、共通吸気口２６から絶えず空気が吸引されている。この結果、燃焼ケース３４の上部から排出された燃焼ガスと共通吸気口２６から吸引された空気が、仕切り板３２と燃焼ケース３４の間で混合され、程良い温度に調整された混合空気となる。
更に、温風用ファン４２の回転によって、共通吸気口２６から吸引された空気が、本体ケース２２と仕切り板３２の間を下方に流れて本体ケース２２を冷却し、最終的に仕切り板３２の下部の隙間から暖房ユニット５０内に吸込まれ、上流側から来る混合空気とさらに混合される。このようにして混合された混合空気は暖房に適度な温度の温風となる。
温風は温風用ファン４２の回転によって温風吹出口４４に導かれ、温風吹出口４４から吹出される。
【００１３】
サーミスタ１８が仕切り板３２に取付けられている。サーミスタ１８はガスバーナ３６の上部に相当する高さに取付けられている。ガスバーナ３６の上部に相当する高さにおける仕切り板３２の温度は、ガスバーナ３６の燃焼状態によって変化する。ガスバーナ３６の燃焼状態が正常であるときは、短い炎で勢いよく燃焼するために炎が上方まで伸びることがないため、ガスバーナ３６の上部に相当する高さにおける仕切り板３２の周辺が過熱されることはない。サーミスタ１８で検知される温度は正常範囲内となる。一方、ガスバーナ３６が不完全燃焼状態に陥ると、炎が不安定となって上方に伸びるため、ガスバーナ３６の上部に相当する高さにおける仕切り板３２の周辺が過熱される。サーミスタ１８で検知される温度は正常範囲を超える。サーミスタ１８は、検知温度を通してガスバーナ３６の燃焼状態を監視する。
【００１４】
暖房ユニット５０よりも上部には、区画板６で区画された空気清浄化ユニット１０が配置されている。区画板６の後方には小型のシロッコファン８が配置されており、側面にはイオン発生装置４が配置されている。シロッコファン８とイオン発生装置４の後方には集塵フィルタ９が配置されている。空気清浄化ユニット１０の後方は開放されており、共通吸気口２６から空気を吸引することができる。
【００１５】
空気清浄化ユニット１０について、図３の拡大正面図と、図３のIV−IV断面を示す図４を参照してさらに詳細に説明する。
集塵フィルタ９は、空気清浄化ユニット１０の後方全面を覆うように備えられている。集塵フィルタ９は、共通エアフィルタ２４で取り除き切れなかった細かい粒子状の塵や臭いの元やタバコの煙等を集塵し、ここを通過する空気を清浄化する。
イオン発生装置４は、筒状の絶縁体６０をはさんで配置された内電極６２と外電極６４に、交流電源６６から高圧を印加することによって、正イオンと負イオンの両方を発生する。
シロッコファン８は、中央に小型のモータ８ａを内蔵しており、モータ８ａの回転によって回転する。シロッコファン８は、共通吸気口２６から集塵フィルタ９を介して空気を吸引すると共に、集塵フィルタ９で清浄化された空気とイオン発生装置４で発生したイオンを清浄化空気吹出口２から吹出す。吹出された負イオンと正イオンの相互作用によって、室内空気の除菌作用が得られる。
【００１６】
図２に示すように、本体ケース２２の上面前方には、使用者が空気清浄化ユニット１０や暖房ユニット５０の運転の操作を行なう操作パネル１２と、空気清浄化ユニット１０やガスバーナ３６の運転が停止されたことを報知する報知ランプ１４ａと、エアフィルタの掃除が必要なことを報知するフィルタランプ１４ｂが設けられている。また、本体ケース２２の内部には、空気清浄化ユニット１０と暖房ユニット５０の運転制御を行なうコントローラ１６が設けられている。
【００１７】
図５に示すように、操作パネル１２には、暖房運転スイッチ１２ａと、空気清浄化運転スイッチ１２ｂと、温度設定スイッチ１２ｃが設けられている。暖房運転スイッチ１２ａでは、暖房ユニット５０が行なう暖房運転の開始と停止が指示される。空気清浄化運転スイッチ１２ｂでは、空気清浄化ユニット１０が行なう空気清浄化運転の開始と停止が指示され、また、使用者が希望する空気清浄化運転のレベルが設定される。空気清浄化運転のレベルについては後述する。温度設定スイッチ１２ｃでは、使用者が希望する室温が設定される。暖房運転スイッチ１２ａと、空気清浄化運転スイッチ１２ｂが別個に設けられているように、暖房運転と空気清浄化運転は別個独立して行なうことができる。また、暖房運転と空気清浄化運転を同時に行なうこともできる。
【００１８】
図５に示すように、コントローラ１６には、燃焼状態監視手段１６ａと、暖房ユニット制御手段１６ｂと、空気清浄化ユニット制御手段１６ｃと、表示制御手段１６ｄが設けられている。
燃焼状態監視手段１６ａは、サーミスタ１８で検知された温度からバーナ３６の燃焼状態を監視する。このために燃焼状態監視手段１６ａは、図６に示すサーミスタ１８の検知温度の正常範囲の閾値を記憶している。正常範囲の閾値は、後述する暖房運転のレベルに応じて、低レベルのときは高い閾値、高レベルのときは低い閾値に決定されている。暖房運転が低レベルで行なわれているときは、共通吸気口２６から吸引される低い室温の空気量が少なく、仕切り板３２と燃焼ケース３４の間で燃焼ガスが混合しても温度がそれほど下げられることがない。サーミスタ１８近傍を通過する混合空気は比較的高い温度に保たれ検知温度も高くなることから、高い閾値に決定されている。一方、暖房運転が高レベルで行なわれているときは、共通吸気口２６から吸引される低い室温の空気量が多く、仕切り板３２と燃焼ケース３４の間で燃焼ガスが混合すると温度が大きく下げられる。サーミスタ１８近傍を通過する混合空気は比較的低い温度となり検知温度も低くなることから、低い閾値に決定されている。（なお、仕切り板３２と燃焼ケース３４の間をサーミスタ１８よりも下方に移動した混合空気は、バーナ３６からの放熱によって加熱されて適温となる。）サーミスタ１８の検知温度が閾値を超えると、仕切り板３２が異常に過熱されておりガスバーナ３６が不完全燃焼状態に陥っていると判定される。サーミスタ１８の検知温度が閾値を超えなければ、ガスバーナ３６が正常な燃焼状態であると判定される。
暖房ユニット制御手段１６ｂは、ガスバーナ３６の点火動作・火力調整・消火動作と温風用ファン４２の回転数を制御する。暖房ユニット制御手段１６ｂが制御する暖房運転レベルは、温度設定スイッチ１２ｃによって設定された設定温度と、図示しない室温センサによって検知された室温の検知温度との温度差に応じて、自動的に１から７までの７段階に決定される。なお、レベル８は暖房運転開始初期における強制強運転のためのレベルであって、暖房運転スイッチ１２ｂの操作による通常の運転開始時、あるいは、タイマ運転における運転開始時に、自動的に選択される。このように決定された暖房運転レベルに応じて、ガスバーナ３６の火力調整と温風ファン４２の回転数が制御され、低レベルのときは小火力・小風量とされ、高レベルのときは大火力・大風量とされる。
空気清浄化ユニット制御手段１６ｃは、イオン発生装置４のイオン発生動作とシロッコファン８の回転数を制御する。空気清浄化ユニット制御手段１６ｃが制御する空気清浄化運転レベルは、空気清浄化運転スイッチ１２ｂによって設定されたレベル（「弱」「中」「強」の３段階で表示）に決定される。このように決定された空気清浄化運転レベルに応じて、イオン発生装置４のイオン発生動作とシロッコファン８の回転数が制御され、低レベルのときは少量発生・小風量とされ、高レベルのときは大量発生・大風量とされる。
表示制御手段１６ｄは、報知ランプ１４ａとフィルタランプ１４ｂの表示の変更を行なう。空気清浄化ユニット１０や暖房ユニット５０の運転が開始されなかったり停止されるときは、報知ランプ１４ａを点滅させる。また、共通エアフィルタ２４の掃除を促すため、フィルタランプ１４ｂを点滅させる。
【００１９】
次に、図７のフローチャートを参照して、空気清浄化機能を有するガスファンヒータ１の動作を説明する。このフローチャートでは、暖房運転をメインとした手順を説明する。
まず、使用者が暖房運転スイッチ１２ａをＯＮにすると（ステップＳ２）、暖房ユニット制御手段１６ｂが、レベル８で暖房運転を開始させる。温度設定スイッチ１２ｃによって設定された設定温度と、室温センサで検知された室温の検知温度との温度差が徐々に小さくなるにつれて、段階的に暖房運転レベルを下げていく。
暖房運転が開始された後は、サーミスタ１８が絶えず温度を検知している。燃焼状態監視手段１６ａが検知温度を取得すると（ステップＳ４）、その検知温度が正常範囲の閾値以下であるか否かを判定する（ステップＳ６）。閾値以下であればステップＳ１８に移行し、ステップＳ１８でＹＥＳと判定されれば暖房運転を継続する。
【００２０】
一方、ステップＳ６で閾値を超えると判定されると、ステップＳ８で空気清浄化運転が行なわれているか否かが判定される。以下では、まず、既に空気清浄化運転が行われている場合を説明する。その例が、図８（１）に示されている。この例では、Ｔ１の時点で暖房運転が開始された当初は暖房運転レベルが高いため検知温度の正常範囲の閾値が低く、設定温度と室温が近づくにつれ暖房運転レベルが段階的に下げられるため閾値も段階的に高くなり、設定温度と室温が一致したところで暖房運転レベルが一定となるため閾値も一定となっている。これに対しサーミスタ１８の検知温度は、Ｔ１の時点から徐々に上昇し、空気清浄化運転が開始されたＴ２の時点から急激に上昇して閾値を超え、Ｔ３の現時点に至っている。このような場合は、ステップＳ８でＹＥＳと判定され、ステップＳ１０に移行する。
ステップＳ１０では、空気清浄化ユニット制御手段１６ｃが、空気清浄化運転レベルを下げることができるか否かを判定する。最低レベル「弱」以外で空気清浄化運転を行なっている場合はレベルを下げることができるためＹＥＳと判定され、ステップＳ１４で自動的に空気清浄化運転レベルを１段階下げる。
続くステップＳ１８で暖房運転を継続すると判定されると、ステップＳ４に戻る。燃焼状態監視手段１６ａがサーミスタ１８の検知温度を取得し（ステップＳ４）、検知温度が正常範囲の閾値以下であるか否かを判定し（ステップＳ６）、閾値をまだ超えると判定されたときはステップＳ１８までの処理を行う。ステップＳ４からステップＳ１８までの一連の処理を繰り返して、自動的に空気清浄化運転レベルを段階的に下げていく。
【００２１】
一方、ステップＳ１０で、空気清浄化ユニット制御手段１６ｃが、空気清浄化運転レベルを下げることができないと判定した場合（最低レベル「弱」で空気清浄化運転を行なっている場合）は、ステップＳ１２で空気清浄化運転を停止し、表示制御手段１６ｄが報知ランプ１４ａとフィルタランプ１４ｂを予告点滅させる。報知ランプ１４ａの予告点滅によって空気清浄化運転が停止されたことを報知し、フィルタランプ１４ｂの予告点滅によって共通エアフィルタ２４が軽度に汚れこのまま放置すると暖房運転ができなくなることを報知する。
続くステップＳ１８で暖房運転を継続すると判定されると、ステップＳ４に戻る。再度、燃焼状態監視手段１６ａがサーミスタ１８の検知温度を取得し（ステップＳ４）、検知温度が正常範囲の閾値以下であるか否かを判定し（ステップＳ６）、閾値以下であると判定されればステップＳ１８に移行して暖房運転のみを継続することができる。
以上のように、空気清浄化運転レベルを下げる、あるいは、空気清浄化運転を停止することによって、図８（１）の破線８１のように閾値を超えて上昇し続けたであろう検知温度を、実線８２のように正常範囲内に戻すことができる。すなわち、空気清浄化運転に必要としていた空気量を減少させることによって、減少分を暖房運転に利用することができ、ガスバーナ３６の不完全燃焼状態が解消される。暖房運転のレベルを下げる必要がない。
【００２２】
一方、ステップＳ１２で空気清浄化運転を停止した後に、ステップＳ１８からステップＳ４に戻って、ステップＳ６で検知温度がまだ閾値を超えると判定されたときは、ステップＳ８でＮＯと判定される。この場合はステップＳ１６に移行する。ステップＳ１６では、暖房ユニット制御手段１６ｂが暖房運転も停止し、表示制御手段１６ｄが報知ランプ１４ａとフィルタランプ１４ｂを警告点滅させる。報知ランプ１４ａの警告点滅によって暖房運転が停止されたことを知らせることができ、フィルタランプ１４ｂの警告点滅によって共通エアフィルタ２４が重度に汚れたことを知らせることができる。
これにより、空気清浄化運転も暖房運転も停止し、空気清浄化機能を有するガスファンヒータ１の運転が終了する。
【００２３】
次に、空気清浄化運転が未だ開始されていなかった場合を説明する。その例が、図８（２）に示されている。この例では、Ｔ１の時点で暖房運転が開始された後からサーミスタ１８の検知温度が徐々に上昇し、Ｔ３の現時点に至っている。このような場合は最初の処理でのステップＳ８でＮＯと判定され、ステップＳ１６に移行する。
ステップＳ１６では、空気清浄化ユニット制御手段１６ｃが、空気清浄化運転開始不能モードとなり、表示制御手段１６ｄが報知ランプ１４ａとフィルタランプ１４ｂを警告点滅させる。この場合は、利用者が空気清浄化運転スイッチ１２ｂを押しても、空気清浄化運転は開始されない。
以上のように、空気清浄化運転の開始を不能とすることによって、図８（２）のようにＴ３の時点において、実線８４から破線８３のように検知温度が急激に上昇することが回避される。
【００２４】
以上のように、本実施例によれば、空気清浄化運転のレベルを下げることによって、暖房運転のレベルを下げることなく、かつ、正常な状態で継続することができる。空気清浄化運転のレベルを下げることができないときは、清浄化運転を停止することによって、同様な効果を得ることができる。
また、不完全燃焼状態と判定されたときに空気清浄化運転が未だ開始されていなかったときは、清浄化運転開始を不能として暖房運転も停止することによって、危険を回避することができる。
【００２５】
（第２実施例）以下に、本発明を具現化した空気清浄化機能を有するガスファンヒータの第２実施例を説明する。図９に示すように、本実施例においては、サーミスタの代りとして燃焼ケース３４内に熱電対１９を備えている。その他の構成は第１実施例と同様であるため、同一符号を付すことによって重複説明を省略する。
燃焼ケース３４内に備えられた熱電対１９は、ガスバーナ３６の燃焼状態によって変化する炎の温度を検知する。ガスバーナ３６の燃焼状態が正常であるときは、炎の温度が高いため、熱電対１９で検知される温度も正常範囲内となる。一方、ガスバーナ３６が不完全燃焼状態に陥ると、炎の温度が低いため、熱電対１９で検知される温度も正常範囲を下回る。
【００２６】
コントローラ１６に設けられた燃焼状態監視手段１６ａは、熱電対１９の検知温度の正常範囲の閾値を記憶している。この閾値も、暖房運転レベルによって段階的に決定されている。これによって、ガスバーナ３６が不完全燃焼状態に陥っているか、正常状態であるかを判定することができる。
【００２７】
以上のように、本実施例によっても、暖房運転のレベルを下げることなく、かつ、正常な状態で暖房運転を継続することができる。
【００２８】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
・本実施例においては、空気清浄化ユニットに集塵フィルタとイオン発生装置が共に設けられていたが、これに限られるものではない。集塵フィルタを設けずにイオン発生装置のみを設けたり、イオン発生装置を設けずに集塵フィルタのみを設けても、十分な空気清浄効果を得ることができる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００２９】
【図１】空気清浄化機能付きガスファンヒータの正面図を示す。
【図２】空気清浄化機能付きガスファンヒータの断面図を示す。
【図３】イオン発生装置とシロッコファンの正面図を示す。
【図４】イオン発生装置とシロッコファンの断面図を示す。
【図５】コントローラのブロック図を示す。
【図６】サーミスタの検知温度の正常範囲の閾値を示す。
【図７】空気清浄化機能付きガスファンヒータの動作のフローチャートを示す。
【図８】サーミスタの検知温度の推移の例を示す。
【図９】第２実施例の空気清浄化機能付きガスファンヒータの正面図を示す。
【符号の説明】
【００３０】
１    ：空気清浄化機能付きガスファンヒータ、
２    ：清浄化空気吹出口、
８    ：シロッコファン、
１０  ：空気清浄化ユニット、
１４ａ：報知ランプ、
１４ｂ：フィルタランプ、
１８  ：サーミスタ、
２４  ：共通エアフィルタ、
２６  ：共通吸気口、
３４  ：燃焼ケース、
３６  ：ガスバーナ、
４２  ：温風用ファン、
４４  ：温風吹出口、
５０  ：暖房ユニット、
【図１】
2005049077.tif 000003
【図２】
2005049077.tif 000004
【図３】
2005049077.tif 000005
【図４】
2005049077.tif 000006
【図５】
2005049077.tif 000007
【図６】
2005049077.tif 000008
【図７】
2005049077.tif 000009
【図８】
2005049077.tif 000010
【図９】
2005049077.tif 000011